(57)【特許請求の範囲】
【請求項１】
複数のシンボルが表示された複数のリールを個別に回転させ、抽選手段により内部抽選を行い、停止釦スイッチの操作により各リールを個別に停止させ、内部抽選結果が当たりであり且つ所定の停止ラインに並んだシンボルが所定の組合せである場合に入賞となるスロットマシンであって、出玉率を最低値から最大値まで少なくとも３段階に亘って択一的に設定する出玉率設定手段を備えるスロットマシンにおいて、最低出玉率に対応する抽選データテーブルと最大出玉率に対応する抽選データテーブルとを備え、出玉率が中間出玉率に設定されている時に、最大出玉率に対応する抽選データテーブル又は最低出玉率に対応する抽選データテーブルの何れか一方を、設定された中間出玉率に一対一対応して定められた所定の比率で選択して中間出玉率を実現することを特徴とするスロットマシン。
【請求項２】
通常の入賞と、通常の入賞よりも多くの出玉を獲得できる大当たり入賞とがあり、出玉率が中間出玉率に設定されている時に、内部抽選での大当たりを契機として、最大出玉率に対応する抽選データテーブル又は最低出玉率に対応する抽選データテーブルの何れか一方を所定の比率で選択することを特徴とする請求項１に記載のスロットマシン。
【請求項３】
通常の入賞と、通常の入賞よりも多くの出玉を獲得できる大当たり入賞と、通常の入賞よりも多く大当たりよりは少なく出玉を獲得できる中当たり入賞とがあり、出玉率が中間出玉率に設定されている時に、内部抽選での中当たりを契機として、最大出玉率に対応する抽選データテーブル又は最低出玉率に対応する抽選データテーブルの何れか一方を所定の比率で選択することを特徴とする請求項１に記載のスロットマシン。
【請求項４】
通常の入賞と、通常の入賞よりも多くの出玉を獲得できる大当たり入賞と、通常の入賞よりも多く大当たりよりは少なく出玉を獲得できる中当たり入賞とがあり、出玉率が中間出玉率に設定されている時に、内部抽選での大当たりと中当たりの何れをも契機として、最大出玉率に対応する抽選データテーブル又は最低出玉率に対応する抽選データテーブルの何れか一方を所定の比率で選択することを特徴とする請求項１に記載のスロットマシン。
【請求項５】
抽選によって、最大出玉率に対応する抽選データテーブル又は最低出玉率に対応する抽選データテーブルの何れか一方を所定の比率で選択することを特徴とする請求項１に記載のスロットマシン。
【発明の詳細な説明】
【０００１】
【発明の属する技術分野】
本発明はスロットマシンに関するものである。
【０００２】
【従来の技術】
複数のシンボルが表示された複数のリールを個別に回転させ、抽選手段により内部抽選を行い、停止釦スイッチの操作により各リールを個別に停止させ、内部抽選結果が当たりであり且つ所定の停止ラインに並んだシンボルが所定の組合せである場合に入賞となるスロットマシンであって、出玉率を最低値から最大値まで６段階に亘って択一的に設定する出玉率設定手段を備えるスロットマシンがゲームホールで使用されている。
【０００３】
上記スロットマシンのＲＯＭには、例えば図１に示すような抽選データテーブルが格納されている。抽選データテーブルは、９０％、９５％、１００％、１０５％、１１０％、１１５％の６段階の出玉率に一対一対応する６組の抽選データテーブルにより構成されている。各組の抽選データテーブルはメダル３枚投入時のデータであり、それぞれ、約３５０枚のメダルを獲得できる大当たりの確率と、約１１０枚のメダルを獲得できる中当たりの確率と、約１０枚のメダルを獲得できる小当たりの確率とを有している。例えば、出玉率９０％に対応する抽選データテーブルでは、大当たり確率が１／３９８に設定され、中当たり確率が１／４９０に設定され、小当たり確率が１／６に設定されている。この場合、投入メダル数３枚で獲得できるメダル数は、３５０／３９８＋１１０／４９０＋１０／６＝２．７７枚となり、出玉率は約９０％となる。
【０００４】
出玉率設定手段により、９０％、９５％、１００％、１０５％、１１０％、１１５％の６段階の出玉率の中から択一的に１の出玉率が設定されると、抽選データテーブルから、設定された出玉率に対応する１組の抽選データテーブルが読み出され、抽選での当たりの確率が、当該１組の抽選データテーブルが有する当たり確率に設定される。例えば、出玉率設定手段により出玉率１００％が設定されると、当該出玉率に対応する抽選データテーブルがＲＯＭから読み出され、大当たりの確率が１／３１８に、中当たりの確率が１／３９７に、小当たりの確率が１／６に設定される。
【０００５】
抽選では、１６ビットのカウンタＩＣを高速クロックで駆動し、適当なタイミングでカウント値を読み取る。カウント値Ｎが、２16／３１８≒２０６≧Ｎならば大当たりとし、カウント値Ｎが、（２０６＋２16／３９７）≒３７１≧Ｎ＞２０６ならば中当たりとし、（３７１＋２16／６）≒１１２９３≧Ｎ＞３７１ならば小当たりとする。
【０００６】
【発明が解決しようとする課題】
ゲームホールにおいては、毎朝開店前に出玉率設定手段により各スロットマシンの出玉率を設定し、その日の閉店まで設定した出玉率を維持する。従って、設定された出玉率に対応する抽選データテーブルに基づいて、終日抽選が行われる。この結果、低い出玉率が設定されたスロットマシンでは、終日低い当たり確率で抽選が行われることになり、遊戯者の興趣が損なわれ、ゲームホールの集客力が低下する。
本発明は上記問題に鑑みてなされたものであり、複数のシンボルが表示された複数のリールを個別に回転させ、抽選手段により内部抽選を行い、停止釦スイッチの操作により各リールを個別に停止させ、内部抽選結果が当たりであり且つ所定の停止ラインに並んだシンボルが所定の組合せである場合に入賞となるスロットマシンであって、出玉率を最低値から最大値まで少なくとも３段階に亘って択一的に設定する出玉率設定手段を備えるスロットマシンにおいて、遊戯者の興趣を損なわないスロットマシンを提供することを目的とする。
【０００７】
【課題を解決するための手段】
上記課題を解決するために、本発明においては、複数のシンボルが表示された複数のリールを個別に回転させ、抽選手段により内部抽選を行い、停止釦スイッチの操作により各リールを個別に停止させ、内部抽選結果が当たりであり且つ所定の停止ラインに並んだシンボルが所定の組合せである場合に入賞となるスロットマシンであって、出玉率を最低値から最大値まで少なくとも３段階に亘って択一的に設定する出玉率設定手段を備えるスロットマシンにおいて、最低出玉率に対応する抽選データテーブルと最大出玉率に対応する抽選データテーブルとを備え、出玉率が中間出玉率に設定されている時に、最大出玉率に対応する抽選データテーブル又は最低出玉率に対応する抽選データテーブルの何れか一方を、設定された中間出玉率に一対一対応して定められた所定の比率で選択して中間出玉率を実現することを特徴とするスロットマシンを提供する。
【０００８】
本発明に係るスロットマシンにおいては、中間出玉率は、最大出玉率に対応する抽選データテーブル又は最低出玉率に対応する抽選データテーブルの何れか一方を、設定された中間出玉率に一対一対応して定められた所定の比率で選択することにより実現されるので、より具体的には、最大出玉率に対応する抽選データテーブルに基づいて抽選が行われるゲームと、最低出玉率に対応する抽選データテーブルに基づいて抽選が行われるゲームの何れか一方を、設定された中間出玉率に一対一対応して定められた所定の比率で選択することにより実現されるので、朝の開店前に設定された中間出玉率が低い場合でも、夜の閉店までの間に消化される多数のゲーム中の所定数のゲームにおいては、最大出玉率に対応する抽選データテーブルに基づいて抽選が行われる。従って、遊戯者の興趣は損なわれず、ゲームホールの集客率は低下しない。最大出玉率に対応する抽選データテーブルと最低出玉率に対応する抽選データテーブルとを、従来のスロットマシンにおける最大出玉率に対応する抽選データテーブルと最低出玉率に対応する抽選データテーブルと同等にしておけば、過度に射幸心を煽るおそれは無い。中間出玉率に対応する抽選データテーブルを備える必要が無く、データサイズが減少する。
【０００９】
本発明の好ましい態様においては、通常の入賞と、通常の入賞よりも多くの出玉を獲得できる大当たり入賞とがあり、出玉率が中間出玉率に設定されている時に、内部抽選での大当たりを契機として、最大出玉率に対応する抽選データテーブル又は最低出玉率に対応する抽選データテーブルの何れか一方を所定の比率で選択する。
本発明の好ましい態様においては、通常の入賞と、通常の入賞よりも多くの出玉を獲得できる大当たり入賞と、通常の入賞よりも多く大当たりよりは少なく出玉を獲得できる中当たり入賞とがあり、出玉率が中間出玉率に設定されている時に、内部抽選での中当たりを契機として、最大出玉率に対応する抽選データテーブル又は最低出玉率に対応する抽選データテーブルの何れか一方を所定の比率で選択する。
本発明の好ましい態様においては、通常の入賞と、通常の入賞よりも多くの出玉を獲得できる大当たり入賞と、通常の入賞よりも多く大当たりよりは少なく出玉を獲得できる中当たり入賞とがあり、出玉率が中間出玉率に設定されている時に、内部抽選での大当たりと中当たりの何れをも契機として、最大出玉率に対応する抽選データテーブル又は最低出玉率に対応する抽選データテーブルの何れか一方を所定の比率で選択する。
本発明の好ましい態様においては、抽選によって、最大出玉率に対応する抽選データテーブル又は最低出玉率に対応する抽選データテーブルの何れか一方を所定の比率で選択する。
選択のタイミングは、内部抽選での大当たりを契機としても良く、内部抽選での中当たりを契機としても良く、内部抽選での大当たりと中当たりの何れをも契機としても良く、或いは抽選によって選択しても良い。
【００１０】
【発明の実施の形態】
本発明の実施例に係るスロットマシンを説明する。
図２に本実施例に係るスロットマシンの外観正面図を示す。スロットマシン１の前面に、周面に複数のシンボルが表示された３個のリール２ａ、２ｂ、２ｃと、リール表示窓３と、表示器４と、メダル投入口５と、始動レバー６と、停止釦スイッチ７ａ、７ｂ、７ｃと、メダル投入スイッチ８と、清算スイッチ９と、メダル排出口１０と、メダル受け皿１１とが配設されている。
リール２ａ、２ｂ、２ｃはリール表示窓３内に配設されており、リール表示窓３を介してリール２ａ、２ｂ、２ｃの回転状態を見ることができる。リール２ａ、２ｂ、２ｃが停止すると、各リールの３駒分のシンボルが、上、中、下、斜めの停止ラインＬ１〜Ｌ５上に整列して並ぶ。停止ラインＬ１〜Ｌ５は、ゲームに投入されるメダルの枚数に応じて順次有効化される。１枚のメダルがゲームに投入されるとＬ１が有効化され、２枚のメダルがゲームに投入されるとＬ１〜Ｌ３が有効化され、３枚のメダルがゲームに投入されるとＬ１〜Ｌ５が有効化される。有効化された停止ライン上に整列したシンボルの組み合わせが入賞に係るものであれば、所定枚数のメダルが払い出される。
【００１１】
始動レバー６を操作するとリール２ａ、２ｂ、２ｃが始動し、停止釦スイッチ７ａ、７ｂ、７ｃを操作するとリール２ａ、２ｂ、２ｃが停止する。
メダル投入口５を介してメダルを投入する。メダル投入口５を介して投入されたメダルは、３枚までがゲームに投入され、３枚を超える枚数分のメダルは、スロットマシン１の機体内に貯留される。貯留されたメダルの枚数は表示器４に表示される。表示器４に貯留メダル数が表示されている時には、メダル投入スイッチ８を操作して、貯留されたメダルをゲームに投入することができる。メダル投入スイッチ８の操作により投入されたメダルは、３枚までがゲームに投入され、３枚を超える枚数分のメダルは、スロットマシン１の機体内に再度貯留される。
清算スイッチ９を操作すると、貯留されたメダルが、メダル排出口１０を介してメダル受け皿１１へ放出される。
【００１２】
図３にスロットマシン１の制御回路図を示す。ＣＰＵ１２、ＲＯＭ１３、ＲＡＭ１４、乱数発生器１５により制御部１６が構成されている。ＲＯＭ１３には、機械動作の制御手順を示すプログラムやリール２ａ、２ｂ、２ｃのシンボル配列テーブル等の固定データが格納されている。プログラム内に抽選データテーブルが格納されている。ＲＡＭ１４には、ゲーム遂行中に順次書き換えられるシンボルデータや、一時的にサンプリングされて保持される乱数値等が格納される。ＣＰＵ１２は、ＲＯＭ１３のプログラムや固定データや各種入力信号に従って各種演算を行い、ＲＡＭ１４のデータを読み書きし、入出力各部の作動を制御する。乱数発生器１５は、所定の時間間隔で任意の整数値を出力する。ＣＰＵ１２は乱数発生器１５が発生させた乱数値を取り込み、ＲＯＭ１３から読み込んだ抽選データテーブルに記載された当たり確率により定まる数値と取り込んだ乱数値とを比較して抽選を行う。
入力ポート１７、出力ポート１８、表示インターフェイス１９が、バス２０を介してＣＰＵ１２に接続されている。始動レバー６、停止釦スイッチ７ａ、７ｂ、７ｃ、メダル投入スイッチ８は、入力ポート１７に接続されている。出玉率設定スイッチ２１が入力ポート１７に接続されている。出玉率設定スイッチ２１は、スロットマシン１のケース内に配設されており、操作員がスロットマシン１の裏蓋を開いて操作する。出玉率設定スイッチ２１により、出玉率が最低値から最大値まで６段階に亘って択一的に設定される。これらレバー、スイッチの操作による電気信号は入力ポート１７とバス２０とを介してＣＰＵ１２へ送られる。
【００１３】
リール駆動部２２とホッパ駆動部２３とが出力ポート１８に接続されている。ＣＰＵ１２からの指令がバス２０と出力ポート１８とを介してリール駆動部２２とホッパ駆動部２３とヘ伝えられる。リール駆動部２２はリール２ａ、２ｂ、２ｃの駆動用ステッピングモータの作動を制御してリール２ａ、２ｂ、２ｃを回転、停止させる。リール駆動部２２が生成するリール駆動パルスと、ＲＯＭ１３に格納されたシンボル配列テーブルとに基づいて、ＣＰＵ１２は、どのシンボルが有効停止ライン上に位置するかを認識する。ホッパ駆動部２３は図示しないホッパを駆動して所定枚数のメダルをホッパからメダル排出口１０を介してメダル受け皿１１へ放出させる。
表示回路２４が表示インターフェス１９に接続されている。ＣＰＵ１２からの指令がバス２０と表示インターフェス１９とを介して表示回路２４ヘ伝えられる。表示回路２４は表示器４を作動させる。
【００１４】
図４に、抽選データテーブルを示す。
抽選データテーブルは、最低出玉率９０％に対応する抽選データテーブルと最大出玉率１１５％に対応する抽選データテーブルとを有している。最低出玉率９０％と最大出玉率１１５％における、大当たり、中当たり、小当たりの確率は、図１に示す従来のスロットマシンにおける確率と同一値に設定されている。また大当たり、中当たり、小当たりでの獲得メダル数も、図１に示す従来のスロットマシンにおける獲得メダル数と同一値に設定されている。
抽選データテーブルは、中間出玉率９５％、１００％、１０５％、１１０％に対応する抽選データテーブルを有していない。
抽選データテーブルは、中間出玉率９５％、１００％、１０５％、１１０％に対応する抽選データテーブルに代えて、最大出玉率１１５％に対応する抽選データテーブルを選択する頻度と最低出玉率９０％に対応する抽選データテーブルを選択する頻度の比率を規定するデータテーブルを有している。図４に記載された選択比率データは、内部抽選での大当たりを契機として選択する場合のデータである。出玉率が設定されると、当該出玉率に対応する選択比率で、最大出玉率１１５％に対応する抽選データテーブル又は最低出玉率９０％に対応する抽選データテーブルの何れか一方が選択され、選択された抽選データテーブルが有する当たり確率で抽選が行われる。選択は内部抽選での大当たりを契機として行われる。
【００１５】
出玉率が９０％に設定されると、最大出玉率１１５％に対応する抽選データテーブルを選択する頻度と最低出玉率９０％に対応する抽選データテーブルを選択する頻度の比率は０対１００なので、常に最低出玉率９０％に対応する抽選データテーブルが選択される。出玉率が１１５％に設定されると、最大出玉率１１５％に対応する抽選データテーブルを選択する頻度と最低出玉率９０％に対応する抽選データテーブルを選択する頻度の比率は１００対０なので、常に最大出玉率１１５％に対応する抽選データテーブルが選択される。従って、出玉率が最低出玉率又は最大出玉率に設定された場合には、従来のスロットマシンと同一条件で抽選が行われる。
出玉率が中間値に設定されると、最大出玉率１１５％に対応する抽選データテーブル又は最低出玉率９０％に対応する抽選データテーブルの何れか一方が所定の比率で選択される。設定出玉率が高くなるにつれて、最大出玉率１１５％に対応する抽選データテーブルが選択される比率が高くなる。
【００１６】
例えば、出玉率が９５％に設定されると、最大出玉率１１５％に対応する抽選データテーブルを選択する頻度と最低出玉率９０％に対応する抽選データテーブルを選択する頻度の比率は２９対７１となる。選択は内部抽選での大当たりを契機として行われる。この場合、１００回選択が行われると、平均して、最大出玉率１１５％に対応する抽選データテーブルが２９回選択され、最低出玉率９０％に対応する抽選データテーブルが７１回選択される。最大出玉率１１５％に対応する抽選データテーブルでは大当たりとなる確率は１／２４４であり、最低出玉率９０％に対応する抽選データテーブルでは大当たりとなる確率は１／３９８である。従って、１００回選択が行われる間に消化されるゲーム数Ｍは、平均して、Ｍ＝２９×２４４＋７１×３９８＝３５３３４である。Ｍ回のゲームの出玉率の和Ｐは、平均して、Ｐ＝２９×２４４×１１５＋７１×３９８×９０＝３３５６９６０％である。従って、Ｍ回のゲームの平均出玉率ＰＭはＰＭ＝Ｐ／Ｍ＝３３５６９６０／３５３３４＝９５％となり、設定出玉率９５％が実現される。
【００１７】
図５、６のフローチャートに基づいて、スロットマシン１の作動を説明する。
朝の開店前に、操作員がスロットマシン１の裏蓋を開け、出玉率設定スイッチ２１を操作して、９０％、９５％、１００％、１０５％、１１０％、１１５％の６段階の出玉率の中から択一的に１の出玉率を設定する。
朝一番のゲームにおいて、遊戯者がメダル投入口５にメダルを投入し、或いはメダル投入スイッチ８を操作して貯留されたメダルを投入すると、図示しないメダルセンサーから検知信号がＣＰＵ１２へ送られ、ＣＰＵ１２はメダルの投入を認識する（Ｓ１）。
遊戯者が、始動レバー６を操作すると、操作信号がＣＰＵ１２へ伝えられ、ＣＰＵ１２は始動レバー６の操作を認識し、リール駆動部２２を介してリール２ａ、２ｂ、２ｃを順次始動させる（Ｓ２）。
【００１８】
ＣＰＵ１２は次いで抽選処理を行う（Ｓ３）。
ＣＰＵ１２は、朝一番のゲームでの抽選に際して、出玉率が最低の９０％に設定されている場合にはＲＯＭ１３に格納された抽選データテーブルから最低出玉率９０％に対応する抽選データテーブルを選択して読み込み、出玉率が最高の１１５％に設定されている場合にはＲＯＭ１３に格納された抽選データテーブルから最大出玉率１１５％に対応する抽選データテーブルを選択して読み込む。出玉率が中間の９５％、１００％、１０５％、１１０％に設定されている場合には、ＣＰＵ１２は、ＲＯＭ１３に格納された抽選データテーブルから最大出玉率１１５％に対応する抽選データテーブルを選択して読み込む（Ｓ３１）。
ＣＰＵ１２は次いで、第１の抽選を行う。ＣＰＵ１２は、乱数発生器１５が発生させた乱数を取り込み、取り込んだ乱数値と、選択した抽選データテーブルが有する当たり確率により定まる数値とを比較して、当たり外れを決定する（Ｓ３２）。
ＣＰＵ１２は、内部抽選結果をチェックし（Ｓ３３）、第１の抽選結果が大当たりでなければ、ステップ３１で選択したた抽選データテーブルを、次回のゲームにおける第１の抽選に先立って選択すべき抽選データテーブルとして記憶し（Ｓ３４）、抽選処理を終了する。
【００１９】
第１の抽選結果が大当たりの場合には、ＣＰＵ１２は、ＲＯＭ１３に格納された抽選データテーブルから、設定された出玉率に対応する選択比率データを読み込む（Ｓ３５）。
ＣＰＵ１２は、読み込んだ選択比率データが定める最大出玉率１１５％を選択する比率を当たり確率として設定して、第２の抽選を行う（Ｓ３６）。例えば、読み込んだ選択比率データが、最大出玉率１１５％を選択する比率が２９で、最低出玉率９０％を選択する比率が７１である旨指示している場合、当たり確率を２９％に設定して、第２の抽選を行う。
ＣＰＵ１２は、上記ステップＳ３１での記憶を消去した後、第２の抽選結果が外れであれば、最低出玉率９０％に対応する抽選データテーブルを次回のゲームでの第１の抽選に先立って選択すべき抽選データテーブルとして記憶し（Ｓ３７〜Ｓ３８）、第２の抽選結果が当たりであれば、最高出玉率１１５％に対応する抽選データテーブルを次回のゲームにおける第１の抽選に先立って選択すべき抽選データテーブルとして記憶して（Ｓ３７、Ｓ３９）、抽選処理を終了する。
【００２０】
遊戯者が、停止釦スイッチ７ａ、７ｂ、７ｃの何れかを操作すると、操作信号がＣＰＵ１２へ伝えられ、ＣＰＵ１２は停止釦スイッチの操作を認識し、第１の抽選結果をチェックする。第１の抽選結果が当たりの場合には、ＣＰＵ１２は引き込み停止制御に基づくストップ信号をリール駆動部２１へ送る。引き込み停止制御では、停止釦スイッチの操作信号をＣＰＵ１２が受け取った時に、操作された停止釦スイッチに対応するリールに表示された入賞に係るシンボルが、有効な停止ラインの手前の所定駒数内に位置していれば、当該シンボルが有効停止ライン上で停止するように、操作された停止釦スイッチに対応するリールを停止制御し、そうでなければ、法律で規制された駒数だけシンボルを移動させた後当該リールを停止制御する（Ｓ４〜Ｓ６）。
第１の抽選結果が外れの場合には、ＣＰＵ１２は、入賞に係るシンボルが有効な停止ライン上で止まらないように、操作された停止釦スイッチに対応するリールを停止させる（Ｓ４、Ｓ５、Ｓ７）。
リール２ａ、２ｂ、２ｃの全てが停止するまで、Ｓ４〜Ｓ７の制御が繰り返される（Ｓ４〜Ｓ８）。
【００２１】
リール２ａ、２ｂ、２ｃの全てが停止すると、ＣＰＵ１２は、有効な停止ライン上に入賞に係るシンボルの組み合わせが形成されているか否か判定し、形成されていればホッパ駆動部２３へ指令を送り、所定枚数のメダルをホッパからメダル受け皿１１へ払出した後ゲームを終了し、形成されていなければそのままゲームを終了する（Ｓ８〜Ｓ１０）。
【００２２】
次回のゲームからは、ＣＰＵ１２は、前回のゲームにおいて、次回のゲームにおける第１の抽選に先立って選択すべき抽選データテーブルとして記憶した抽選データテーブルを、ＲＯＭ１３に格納された抽選データテーブルから選択して読み込み、当該抽選データテーブルが有する当たり確率に基づいて第１の抽選を行い、第１の抽選結果が大当たりであれば、第２の抽選を行う。
【００２３】
上記説明から分かるように、本実施例に係るスロットマシンにおいては、第１の抽選での大当たりを契機とし第２の抽選を行い、第２の抽選結果に応じて最大出玉率１１５％に対応する抽選データテーブル又は最低出玉率９０％に対応する抽選データテーブルの何れか一方を選択し、選択した抽選データテーブルを以降の第１の抽選において大当たりが発生するまで継続使用することにより、中間出玉率を実現している。従って、朝の開店前に、操作員が設定した中間出玉率が低い場合でも、夜の閉店までの間に消化される多数のゲーム中の所定数のゲームにおいては、最大出玉率に対応する抽選データテーブルに基づいて抽選が行われる。従って、遊戯者の興趣は損なわれず、ゲームホールの集客率は低下しない。本実施例に係るスロットマシンにおいては、出玉率を最大出玉率に設定すると、第２の抽選において必ず最大出玉率に対応する抽選データテーブルを選択するので、終日最大出玉率に対応する抽選データテーブルに基づいて第１の抽選が行われ、出玉率を最低出玉率に設定すると、第２の抽選において必ず最低出玉率に対応する抽選データテーブルを選択するので、終日最低出玉率に対応する抽選データテーブルに基づいて第１の抽選が行われる。また本実施例に係るスロットマシンにおいては、最大出玉率と最低出玉率とを従来のスロットマシンにおける最大出玉率と最低出玉率と同一値に設定しており、又最大出玉率に対応する抽選データテーブルと最低出玉率に対応する抽選データテーブルとを、従来のスロットマシンにおける最大出玉率に対応する抽選データテーブルと最低出玉率に対応する抽選データテーブルと同一にしている。従って、本実施例に係るスロットマシンは、出玉率を最大出玉率又は最低出玉率に設定した場合、従来のスロットマシンと全く同一の作動を示すので、過度に射幸心を煽るおそれは無い。
本実施例に係るスロットマシンにおいては、中間出玉率に対応する抽選データテーブルを備える必要が無く、データサイズが減少する。
【００２４】
以上本発明の実施例を説明したが本発明は上記実施例に限定されない。
上記実施例では、第１の抽選での大当たりを契機として第２の抽選を行ったが、第１の抽選での中当たりを契機として第２の抽選を行っても良く、或いは、第１の抽選での大当たりと中当たりの何れをも契機として第２の抽選を行っても良い。ゲーム毎に、第１の抽選に先立って、最大出玉率に対応する抽選データテーブル又は最低出玉率に対応する抽選データテーブルの何れか一方を所定の比率で選択するための抽選を行っても良い。
第２の抽選は、全てのリールが停止し、大当たり、中当たり等の入賞が決定した後に行っても良く、或いは、大当たり、中当たり等の入賞ゲームが全て終了した後に行っても良い。
【００２５】
【発明の効果】
本発明に係るスロットマシンにおいては、中間出玉率は、最大出玉率に対応する抽選データテーブル又は最低出玉率に対応する抽選データテーブルの何れか一方を、設定された中間出玉率に一対一対応して定められた所定の比率で選択することにより実現されるので、より具体的には、最大出玉率に対応する抽選データテーブルに基づいて抽選が行われるゲームと、最低出玉率に対応する抽選データテーブルに基づいて抽選が行われるゲームの何れか一方を、設定された中間出玉率に一対一対応して定められた所定の比率で選択することにより実現されるので、朝の開店前に設定された中間出玉率が低い場合でも、夜の閉店までの間に消化される多数のゲーム中の所定数のゲームにおいては、最大出玉率に対応する抽選データテーブルに基づいて抽選が行われる。従って、遊戯者の興趣は損なわれず、ゲームホールの集客率は低下しない。最大出玉率に対応する抽選データテーブルと最低出玉率に対応する抽選データテーブルとを、従来のスロットマシンにおける最大出玉率に対応する抽選データテーブルと最低出玉率に対応する抽選データテーブルと同等にしておけば、過度に射幸心を煽るおそれは無い。中間出玉率に対応する抽選データテーブルを備える必要が無く、データサイズが減少する。
【図面の簡単な説明】
【図１】従来のスロットマシンのＲＯＭに格納された抽選データテーブルを示す図である。
【図２】本発明の実施例に係るスロットマシンの外観正面図である。
【図３】本発明の実施例に係るスロットマシンの制御回路図である。
【図４】本発明の実施例に係るスロットマシンのＲＯＭに格納された抽選データテーブルを示す図である。
【図５】本発明の実施例に係るスロットマシンに於ける制御の流れを示すフローチャートである。
【図６】本発明の実施例に係るスロットマシンに於ける制御の流れを示すフローチャートである。
【符号の説明】
１  スロットマシン
２ａ、２ｂ、２ｃ  リール
３  リール表示窓
４  表示器
５  メダル投入口
６  始動レバー
７ａ、７ｂ、７ｃ  停止釦スイッチ
８  メダル投入スイッチ
９  清算スイッチ
１０  メダル排出口
１１  メダル受け皿
１２  ＣＰＵ
１３  ＲＯＭ
１４  ＲＡＭ
１５  乱数発生器
１６  制御部
１７  入力ポート
１８  出力ポート
１９  表示インターフェイス
２０  バス
２１  出玉率設定スイッチ
２２  リール駆動部
２３  ホッパ駆動部
２４  表示回路
【図１】
0004570206.tif 000002
【図２】
0004570206.tif 000003
【図３】
0004570206.tif 000004
【図４】
0004570206.tif 000005
【図５】
0004570206.tif 000006
【図６】
0004570206.tif 000007